(57)【要約】      （修正有）【課題】肩ストラップやそれと連なる長さ調節帯に水が滲みたり汚れたりする虞がないカバンを提供する。【解決手段】肩ストラップ５と、内容物の防水性を保持可能な区画とを有するカバン１であって、カバン１の外面のうち、手提げ時に地面と相対しない面１６または面の交線１８上に、前記区画に連絡する開口部９を有し、前記区画に設置され、軸回りに回転可能な巻取り軸と巻取り軸の繰り出し方向への回転により復元力が働くばねとを備えるストラップ巻取り機構を備え、肩ストラップ５の一端はカバン本体２に固定され、他端は開口部９に挿通されて巻取り軸に固定されており、肩ストラップ５は、背負わないときは、前記面１６に近寄せられる長さまで巻取り軸の軸回りに巻き取られているカバン１である。【選択図】図１
0003214433.tif 000002
【実用新案登録請求の範囲】
【請求項１】
肩ストラップと、内容物の防水性を保持可能な区画とを有するカバンであって、
カバンの外面のうち、手提げ時に地面と相対しない面または当該面の交線上に、前記区画に連絡する開口部を有し、
前記区画に設置され、軸回りに回転可能な巻取り軸と巻取り軸の繰り出し方向への回転に対して復元力が働くばねとを備えるストラップ巻取り機構を備え、
肩ストラップの一端はカバンに固定され、他端は開口部に挿通されてストラップ巻取り機構の巻取り軸に固定されており、
肩ストラップは、背負わないときは、前記面に近寄せられる長さまで巻取り軸の軸回りに巻き取られているカバン。
【請求項２】
肩ストラップが、ストラップ巻取り機構以外に長さ調整機構を有しない請求項１に記載のカバン。
【請求項３】
下部の一定割合が、撥水加工を施された容器に収納されて容器と一体化している請求項１または請求項２に記載のカバン。
【請求項４】
手提げ時の開口部の高さの最低点が、前記区画内の最低点より高い位置に設けられている請求項１乃至請求項３のいずれか一項に記載のカバン。
【請求項５】
開口部を有する面に補強部材を備える請求項１乃至請求項４のいずれか一項に記載のカバン。
【請求項６】
開口部に上下一対のローラーまたはブラシを備え、当該ローラーまたはブラシが肩ストラップの収納の際に肩ストラップと擦れ合うことで前記区画への水の浸入を防止する請求項１乃至請求項５のいずれか一項に記載のカバン。
【請求項７】
ストラップ巻取り機構が肩ストラップの急な引き出しを制止する機構を備える請求項１乃至請求項６のいずれか一項に記載のカバン。
【請求項８】
容器の底面の少なくとも４か所に滑り止めの足を備える請求項３乃至請求項７のいずれか一項に記載のカバン。
【請求項９】
ビジネスバッグである請求項１乃至請求項８のいずれか一項に記載のカバン。
【考案の詳細な説明】
【技術分野】
【０００１】
本考案は、ランドセル、リュックサック、バックパック、肩ストラップ付きビジネスバッグ等のカバンに関し、特に、カバンにおける肩ストラップの防汚・防水構造に関するものである。
【背景技術】
【０００２】
図８に示すように、典型的なリュックサックやランドセルの肩ストラップ１０５には、長さ調節を可能にするため、プラスチック製または金属製のバックル１０７がついている。長さを調節する目的は、胴の厚みや腰の高さ等に応じてリュックサックやランドセルの位置を目的以外に、リュックサックの底に重い荷物を入れて背負った場合などに、カバンの上部が肩から離れて荷重が腰に集中することを防ぐために、肩ストラップを短くし、肩から背中にかけてカバンを密着させて荷重を分散する目的がある。
【先行技術文献】
【特許文献】
【０００３】
【特許文献１】実用新案登録第３１６９１８４号公報
【考案の概要】
【考案が解決しようとする課題】
【０００４】
バックル１０７は、その幅に適合する長さ調節帯１０８を介してカバンの下端付近についていることがほとんどである。この理由は、硬いバックルが体の前面に直に触れるのは異物感があり不快であるうえ、幅広の肩ストラップを介して体の背面から前面にかけてなるべく広い面積で背負い荷重を受け止めるのが荷重分散の点で理想的であるためと考えられる。しかし、長さ調節帯１０８で肩ストラップ１０５を短くしたカバンを地面に置くと、バックル１０７についた長さ調節帯１０８の余剰部分が地面に接する。逆に肩ストラップ１０５を長くしたカバンを地面に置くと、バックル１０７からカバン下端の取り付け位置にかけて長さ調節帯１０８によって伸長した部分が垂れ下がり地面に接してしまう。この問題は、ホームで電車を待つときや電車に乗ったときなどに背負っていたバッグを手提げに切り替えた場合も同様で、垂れ下がった長さ調整帯やバックルを介してホームや車内の床の汚れを拾いやすい。濡れや汚れが付着した長さ調整帯やバックルは、自動車や電車のシート、訪問先の椅子等を汚すことになる。
【０００５】
特許文献１には、肩ストラップ１０５の下ベルトを巻き取り可能な構造のランドセルが開示されている。しかしながら、上ベルトの余剰部分や、連結環１０７から下ベルト１０８にかけての部分が地面に触れるおそれは残っている。また防水という観点は一切開示されていないため、下ベルト１０８に付着した水分が巻取り構造に取り込まれる問題を避けられない。
【０００６】
そこで、本考案は、肩ストラップやそれと連なる長さ調節帯に水が滲みたり汚れたりする虞が少ないカバンを提供することを目的とする。
【課題を解決するための手段】
【０００７】
上記目的を達成するためになされた本考案の１つの側面は、肩ストラップと、内容物の防水性を保持可能な区画とを有するカバンであって、カバンの外面のうち、手提げ時に地面と相対しない面または当該面の交線上に、前記区画に連絡する開口部を有し、前記区画に設置され、軸回りに回転可能な巻取り軸と巻取り軸の繰り出し方向への回転に対して復元力が働くばねとを備えるストラップ巻取り機構を備え、肩ストラップの一端はカバンに固定され、他端は開口部に挿通されてストラップ巻取り機構の巻取り軸に固定されており、肩ストラップは、背負わないときは、前記面に近寄せられるまで巻取り軸の軸回りに巻き取られているカバンである。斯かる構成により、肩ストラップが地面に直接触れて水が滲みたり汚れたりする虞が少なくなることに加えて、巻取りと面への近寄せにより、水や汚れとの接触リスクがある露出面積自体が減るので、従来露出していた肩ストラップの内側面（背負ったとき体に接するストラップの面）等への水撥ねや雨の付着がなくなる。
【０００８】
上記カバンは、肩ストラップが、ストラップ巻取り機構以外に長さ調整機構を有しないものであることが好ましい。上記構成であると、カバンを背負ったときに長さ調節機構が体に接触することによる異物感がないうえ、肩ストラップが開口部から巻き取られる際に、長さ調節機構が開口部周辺に当たって引っ掛かり、巻取りの妨げになることがないので、最大限に面に近寄せられて防水性が向上する。また、部品点数が減ることでコスト削減になる。
【０００９】
上記カバンは、下部の一定割合が、撥水加工を施された容器に収納されて一体化しているものであることが好ましい。上記構成であると、舗装道の陥没部等に溜まった小さな水たまりを車が通過する際の車道から歩道への水撥ねや泥はね、または、雨天歩行時に足を地面からけり上げた際の偶発的な水撥ねや泥はね等に対する肩ストラップを含めたカバン下部全体の防水・防汚性が高まる。
【００１０】
上記カバンは、手提げ時の開口部の高さの最低点が、前記区画内の最低点より高い位置に設けられているものであることが好ましい。上記構成であると、水撥ねや泥はねが開口部に直接入りにくくなり、防水・防汚性が高まる。
【００１１】
上記カバンは、開口部を有する面に補強部材を備えるものであることが好ましい。上記構成であると、ストラップ巻取り機構の巻取り力による型くずれがなくなることでカバンに入れた書類等の折れ曲がりを防止できる。
【００１２】
上記カバンは、開口部に上下一対のローラーまたはブラシを備え、当該ローラーまたはブラシが肩ストラップの収納の際に当該肩ストラップと擦れ合うことで前記区画への水の浸入を防止するものであることが好ましい。上記構成であると、偶発的に肩ストラップに付着した水が開口部を経由して区画内に浸入することを開口部で阻止できる。その結果、区画内への水分流入の問題が解消される。また、手提げ時の開口部の高さの最低レベルを区画内の最低レベルと同一にしても防水上支障がなくなる。
【００１３】
上記カバンは、ストラップ巻取り機構が肩ストラップの急な引き出しを制止する機構を備えるものであることが好ましい。上記構成であると、ひったくり等に対する防犯効果が得られる。
【００１４】
上記カバンは、容器の底面少なくとも４か所に滑り止めの足を備えるものであることが好ましい。上記構成であると、容器の底面への水や汚れの付着が防止されるともに、カバンがより一層転倒しにくくなる。
【００１５】
上記カバンは、ビジネスバッグである場合に特に有用である。ビジネスバッグは、場面によって背負いと手提げを相互に切り替えて使用するので、従来、屋外で肩ストラップが濡れたり汚れたりする危険性が高いバッグだからである。
【考案の効果】
【００１６】
本考案によれば、肩ストラップや長さ調節帯が地面に触れることがなくなり、防水・防汚性を向上したカバンを得ることができる。
【図面の簡単な説明】
【００１７】
【図１】本発明の第１の実施形態に係るビジネスバッグの背負い面に正対した図である。
【図２】図１のＡ−Ａ断面図である。
【図３】第１の実施形態における開口部の拡大斜視図である。
【図４】ストラップ巻取り機構に内蔵されたロック機構の（ａ）通常時、（ｂ）肩ストラップが急に引っ張られて加速度が働いた時の動作状態を示す模式図である。
【図５】本発明の第２の実施形態に係るビジネスバッグの斜視図である。
【図６】本発明の第３の実施形態に係るビジネスバッグの側面図である。
【図７】第３の実施形態における開口部の拡大斜視図である。
【図８】従来のカバンの肩ストラップの取付け態様のバリエーションを示す引用図である。
【考案を実施するための形態】
【００１８】
本考案の説明に先立ち、用語の定義を示す。
本明細書において、「内容物の防水性を保持可能な区画」とは、区画の外側からの水滴が直接入らない程度の防水性を確保できる区画を意味する。完全な閉鎖空間が確保された区画である必要はなく、ファスナー、ねじ止め等の開閉機構がある場合、閉鎖機構を閉じることで斯かる防水性が確保できればよい。例えば、荷物を入れる区画そのものであってもよいし、荷物を入れる区画とは別に設けられた区画であってもよいし、荷物を入れる区画と「内容物の防水性を保持可能な区画」とは一部が連絡していてもよい。材質および厚さについてはカバンと同じであっても異なっていてもよく、特に限定されない。
【００１９】
本明細書において、「手提げ時」は、そのカバンを仮に手提げするとした場合に通常想定される手提げ方法の１つであれば足りる。この定義に従えば、例えば、ランドセルについて、肩ストラップで手提げした場合、肩ストラップがある上面（背負い面）、及び、背負い面に直交しかつ鉛直面を構成する側面並びに上面と側面との交線は、地面に相対しないため、「手提げ時に地面と相対しない面および当該面の交線」として開口部を有し得る。またランドセルの上部の壁掛け用の輪を持って手提げした場合も、肩ストラップがある側面（背負い面）及び背負い面に直交しかつ鉛直面を構成する側面は地面に相対しないため、開口部を有し得る。カバンに把手がある場合は、少なくとも把手を持った状態が通常の手提げ方法である。
【００２０】
本明細書において、「面に近寄せる」とは、防水・防汚上支障がない程度まで肩ストラップが巻き取られてその面に近接していることを意味する。したがって、肩ストラップは、必ずしもその面にぴったり密着していなくてもよいが、好ましい実施態様では、垂れさがりがない程度まで巻き取られており、より好ましい実施形態では、肩ストラップの表面のうち、肩掛け時に体に接する表面全体がその面に近接している。
【００２１】
本考案を実施するための形態について以下に図面を参照して説明する。
（第１の実施形態）
図１に示す第１の実施形態に係るカバン１は、カバン本体２と、該カバン本体２の下部を覆うように収納し、カバン本体２と一体化された容器３と、カバン本体２上部に取り付けられた手提げ用把手４と、左右一対の肩ストラップ５とで構成されており、該肩ストラップ５は、手提げ用把手４と上蓋１０との境界部６付近にスリーブ７とともに一端を固定されて下方に延び、背負い面１６の下端付近に一対で設けられた容器３およびカバン本体２を貫通する孔８を有する開口部９からカバン内部に送り込まれている。
【００２２】
容器３は概ね平底形状で、材料として表面に撥水加工を施したカーボンファイバー強化プラスチック［ＣＦＲＰ］を採用している。容器３の深さとしては特に限定されないが、本実施形態では、カバン本体２の高さの３分の１程度を覆っている。容器３の底部には、４か所に滑り止め用のゴム製足１１が貼付されている。
【００２３】
図２に示すように、カバン内部には、ファスナー１３によって開閉可能なカバン内の書類を入れる区画Ａ１２とは別に確保された防水性を保持可能な区画Ｂ１４にストラップ巻取り装置１５が設置されており、貫通孔８からカバン内部に導入された肩ストラップ５を巻取り軸１７の周りに巻き取っている。ストラップ巻取り装置１５は、巻取り軸１７の繰り出し方向への回転に対して復元力が働くばね（図示せず）を備えており、図２の状態、すなわち、背負ったとき背中が接する面（背負い面）に肩ストラップ５が近寄せられた状態でも肩ストラップ５を巻き取る方向に復元力が作用している。なお、本実施形態では、ストラップ巻取り装置１５以外に長さ調整機構を有しない。
【００２４】
カバンの内部において、カバン本体２における背負い面１６には、補強板１９が裏打ちされており、ストラップ巻取り装置１５が肩ストラップ５を巻き取る力によってカバン本体２が型くずれしないように補強されている。
【００２５】
開口部９は、防汚・防水の観点で、手提げ時の開口部９の高さの最低点ｈ1が、区画Ｂ１４内の最低点ｈ２より相対的に高い位置に来るように設けている。ただし、高すぎても肩ストラップを引っ張り出して肩に掛ける際に難儀するので、容器３を貫通する位置としている（カバン本体２の高さの３分の１以下の位置）。図１に示すように、開口部９の幅は、肩ストラップ５の帯幅よりやや大きめとなっており、開口部９の水平位置Ｌ１は、ストラップ巻取り装置１５の設置位置にしたがって設定されるが、貫通孔８は、背負い面１６を正面として視た時に、肩ストラップ５の上端固定位置Ｌ２に比べてカバン側面２０との交線１８に近いことを考慮して、肩ストラップ５の出し入れがスムースになるように背負い面１６のカバン側面２０との交線１８に近づくにつれて高くなる方向、すなわち斜め上向きに形成している。ここで、水平線に対する開口部９の傾斜角度θは、肩ストラップ５の上端固定位置から開口部９までの高さをＬとして、概ね
0003214433.tif 000003
の関係がある。肩ストラップ５の上端固定位置Ｌ２と開口部９の水平位置Ｌ１またはストラップ巻取り装置１５の設置位置との関係は、使用が想定される人の平均的な肩幅や胴囲・胴長、性別等を考慮して適宜設定される。
【００２６】
開口部９には、図３に示すように、軸回りに正逆関係なく自由回転可能なゴムローラー２１ａ，２１ｂが互いに近接した状態で上下に２本設置され、貫通孔を埋めている。肩ストラップ５は、２本のゴムローラーの間に挿入され、２本のゴムローラー２１ａ，２１ｂの相互逆回転により、肩ストラップ５とゴムローラー２１ａ，２１ｂとの間に摩擦を伴いながら、カバン１の内外を出し入れされるように構成されている。ゴムローラーの材質は、親水性材料であることが好ましく、とりわけ親水性を付与したシリコーンゴム等を採用することができる。
【００２７】
肩ストラップ５とストラップ巻取り装置１５としては、シートベルトとその巻取り装置を採用しており、シートベルトの急な引き出しを制止するロック機構２３を備える。ロック機構２３の典型的なものとしては、図４に示すようなボールセンサ２５と、巻取り軸１７に固定されたロックギア２７と、ボールセンサ２５の慣性運動により押し上げられ、ロックギア２７の歯を噛みロックするアクチュエータ２９とを備えた減速度センサである。
【００２８】
第１の実施形態の優れた点は、既存のカバンの外観を損なうことがなく、またシートベルトシステムをそのまま活用していることから、低い開発コストで適度なフィット感の肩ストラップになること、ロック機構２３が防犯に活用できること等が挙げられる。
【００２９】
（第２の実施形態）
図５に示す第２の実施形態に係るカバン３１は、カバン本体３２の側面下部に肩ストラップ３５の一端を固定し、カバン３１の背負い面１６上部の第１の実施形態に比べてカバン側面２０との交線１８に近い位置に開口部３９を設けている。その結果、肩ストラップ３５が、側面２０下部に縫い付けて固定された一端を起点として、背負い面１６上部の開口部３９の貫通孔３８に導入されるまで、この２面に寄り付くように延びている。なお、図５は、背負い面１６を正面として正面から右側面２０に延びる肩ストラップ３５を表しているが、正面から左側面に延びる肩ストラップについても同様である。
【００３０】
開口部３９には、上から覆い隠す布カバー３７が設けられ、雨の浸入を防いでいる。
【００３１】
本実施形態におけるストラップ巻取り装置は、図２および図５で示せば、ファスナー３３で開閉可能な区画Ａ１２において補強板１９の上部に据え付けられている。ストラップ巻取り装置は、上部に据え付けている都合、荷物の出し入れの邪魔になる可能性も考慮し、第１の実施形態にあるようなロック機構２３等を含まない小型のものが採用されている。
【００３２】
第２の実施形態の優れた点は、特に肩幅の広い男性が肩ストラップ３５を延ばしながら肩に掛けやすい構造となっている点、上部に設けた開口部３９から肩ストラップ３５を引き出すので背負う際に引き出しやすい点、開口部３９を単なる開口として、布カバー３７で覆って開口部３９に雨滴が入るのを防止した点等が挙げられる。
【００３３】
（第３の実施形態）
図６に示す第３の実施形態に係るカバン４１は、カバン本体４２の底面５６に底面補強板５９を張り付け、該底面補強板５９の周縁を囲むように撥水加工を施したＣＦＰ製の長足５１を設けることで、ファスナー４３によって開閉可能な書類や荷物を収容する区画Ａ５２とは別に、ストラップ巻取り装置５５を設置する区画Ｂ５４を透明プラケースで確保している点で第１の実施形態と相違する。すなわち本実施形態では、手提げ用把手４４と上蓋５０との境界にスリーブ４７とともに一端を固定された肩ストラップ４５は、区画５４に連絡する開口部４９に導入されることになる。
【００３４】
図７に示すように、開口部４９には上縁および下縁からそれぞれ貫通孔４８を埋めるようにゴム製のブラシ６１ａ，６１ｂを設けている。ゴム製のブラシは、例えばゴム製のフィンを縦方向に細かく裂くことで製造できるが、製造方法やブラシの先端形状については特に限定されない。ここで、上下のブラシ６１ａ，６１ｂは、開口部４９からのごみや水・汚れ等の浸入を防ぐため、肩ストラップ４５を入れない状態でも互いに触れ合う程度の長さに設定している。ゴムの材質としては、第１の実施形態でゴムローラーについて説明した通りである。
【００３５】
第３の実施形態の優れた点は、ストラップ巻取り装置５５の存在が書類や荷物の収納容積の低減につながらない点、容器に代えて長足５１を採用したことにより、底面から透明プラケースを通じてストラップ巻取り装置５５の内部を透視でき、肩ストラップ４５がねじれて収納されていないか底を見れば確認しやすくなっており、ストラップ巻取り装置を取り外してのメンテナンスも容易である点等が挙げられる。
【００３６】
以上、本考案の実施例について説明したが、本考案はこれらの実施例に限られるものではなく、その要旨を逸脱しない範囲内においてさらに種々の形態で実施することができる。例えば、カバンの上部に１個のストラップ巻取り装置を設置し、背負い面の対応する位置に形成した開口部から２つに分割した肩ストラップを引き出して背負い面の下部２箇所に固定することもできる。この場合、開口部付近に肩ストラップを２つに分割するガイドを設けることが好ましい。またストラップ巻取り装置は、防水性を保持することが可能な限り、書類や荷物を収納する区画と同じ区画に設けることも可能である。さらに上記いずれの実施例においても、背中が接する面（背負い面）に開口部を設けることとしたが、カバンの側面や背負い面と側面との交線上に設けることも許容される。
【産業上の利用可能性】
【００３７】
肩ストラップ付きのビジネスバッグに好適に利用することができる。
【符号の説明】
【００３８】
１、３１、４１  カバン
２、３２、４２  カバン本体
３  容器
４、４４  手提げ用把手
５、３５、４５  肩ストラップ
６  境界部
７、４７  スリーブ
８、４８  貫通孔
９、３９、４９  開口部
１０、５０  上蓋
１１  足
１３、３３、４３  ファスナー
１２、５２  区画Ａ
１４、５４  区画Ｂ
１５、５５  ストラップ巻取り装置
１６  背負い面
１７  巻取り軸
１８  カバン側面との交線
１９  補強板
２０  カバン側面
２１ａ，２１ｂ  ゴムローラー
２３  ロック機構
２５  ボールセンサ
２７  ロックギア
２９  アクチュエータ
３７  布カバー
５１  長足
５６  底面
５９  底面補強板
６１ａ，６１ｂ  ブラシ
１０５  肩ストラップ（上ベルト）
１０７  バックル（連結環）
１０８  長さ調節帯（下ベルト）
【図１】
0003214433.tif 000004
【図２】
0003214433.tif 000005
【図３】
0003214433.tif 000006
【図４】
0003214433.tif 000007
【図５】
0003214433.tif 000008
【図６】
0003214433.tif 000009
【図７】
0003214433.tif 000010
【図８】
0003214433.tif 000011
【手続補正書】
【提出日】平成29年11月10日(2017.11.10)
【手続補正１】
【補正対象書類名】実用新案登録請求の範囲
【補正対象項目名】全文
【補正方法】変更
【補正の内容】
【実用新案登録請求の範囲】
【請求項１】
肩ストラップと、内容物の防水性を保持可能な区画とを有するカバンであって、
カバンの外面のうち、手提げ時に地面と相対しない面または当該面の交線上に、前記区画に連絡する開口部を有し、
前記区画に設置され、軸回りに回転可能な巻取り軸と巻取り軸の繰り出し方向への回転に対して復元力が働くばねとを備えるストラップ巻取り機構を備え、
肩ストラップの一端はカバンに固定され、他端は開口部に挿通されてストラップ巻取り機構の巻取り軸に固定されており、
肩ストラップは、背負わないときは、前記面に近寄せられる長さまで巻取り軸の軸回りに巻き取られているカバン。
【請求項２】
肩ストラップが、ストラップ巻取り機構以外に長さ調整機構を有しない請求項１に記載のカバン。
【請求項３】
下部の一定割合が、撥水加工を施された容器に収納されて容器と一体化している請求項１または請求項２に記載のカバン。
【請求項４】
手提げ時の開口部の高さの最低点が、前記区画内の最低点より高い位置に設けられている請求項１乃至請求項３のいずれか一項に記載のカバン。
【請求項５】
開口部を有する面に補強部材を備える請求項１乃至請求項４のいずれか一項に記載のカバン。
【請求項６】
開口部に上下一対のローラーまたはブラシを備え、当該ローラーまたはブラシが肩ストラップの収納の際に肩ストラップと擦れ合うことで前記区画への水の浸入を防止する請求項１乃至請求項５のいずれか一項に記載のカバン。
【請求項７】
ストラップ巻取り機構が肩ストラップの急な引き出しを制止する機構を備える請求項１乃至請求項６のいずれか一項に記載のカバン。
【請求項８】
容器の底面の少なくとも４か所に滑り止めの足を備える請求項３に記載のカバン。
【請求項９】
ビジネスバッグである請求項１乃至請求項８のいずれか一項に記載のカバン。